(57)【要約】      （修正有）【課題】簡便な構造で上向き筆記に対応したボールペンを提供する。【解決手段】軸筒２にシリンダー部３ａとピストン７が設けられ、このシリンダー部とピストンによりシリンダー室が形成される。一方で、軸筒にはホールペンリフィール６を保持するリフィールホルダー４が固定される。リフィールホルダーには、ボールペンリフィールの後端開口部とシリンダー室を連通する連通路が形成されている。そしてピストンには、ウェイト８を軸筒軸方向に移動自在にガイドするガイド部７ａが設けられる。ガイド部上には、ウェイトの前後の移動限を規定する規制部７ｂ，７ｃが設けられる。【選択図】図１
0003168101.tif 000002
【実用新案登録請求の範囲】
【請求項１】
軸筒に設けられたシリンダー部と、
前記シリンダー部とシリンダー室を形成するピストンと、
前記軸筒に固定され、ボールペンリフィールを保持するとともに、該ボールペンリフィールの後端開口部と前記シリンダー室とを連通する連通路を有するリフィールホルダーと、
前記ピストンと連設して設けられたガイド部により軸筒軸方向に移動自在にガイドされるウェイトと、
前記ガイド部に設けられ、前記ウェイトの前後の移動限を規定する規制部と、
を有することを特徴とするボールペン。
【請求項２】
前記ピストンは、前記連通路と前記シリンダー室とを接続する接続路と、を有することを特徴とする請求項１記載のボールペン。
【考案の詳細な説明】
【技術分野】
【０００１】
本考案は、ボールペンのいわゆる加圧機構に関する。
【背景技術】
【０００２】
従来から、ボールペンの上向き筆記（ペン先を上に向けてする筆記）をした際におけるボールペンの不書きの現象を防止するため、気体圧力によりボールペンのインクをペン先側に強制的に押し出す加圧式筆記具が考案されている。
【０００３】
特許文献１に開示されるボールペンはいわゆるノック式のボールペンである。このボールペンでは、ノック操作によりペン先を出没操作できるとともに、ペン先が突出して筆記可能状態となる場合に加圧され、ペン先が没入して収納状態となる場合には加圧力が開放される機構が開示されている。
【０００４】
特許文献２に開示されるボールペンは、ボールペンリフィール内に不活性ガスを封入するガス加圧式のボールペンが開示されている。
【先行技術文献】
【特許文献】
【０００５】
【特許文献１】特開２００５−１３８３５６
【特許文献２】特開２００３−２９１５８１
【考案の概要】
【考案が解決しようとする課題】
【０００６】
ボールペンリフィール内のインクを恒常的に加圧する場合には、ペン先のボールの保持機構はその加圧力に対して十分に耐え得るように形成する必要があるとともに、インクタンク内の加圧気体がインクタンクを透過して減圧しないように形成する必要がある。しかし、筆記時に一時的に加圧するのであれば、無加圧状態で使用される通常のボールペンリフィールを使用することができる。この場合には、筆記時のみ加圧される特許文献１に開示される加圧機構が有効である。しかし、この加圧機構は、ボールペンリフィールが軸筒に固定されているキャップ式のボールペンには適用することが出来ない。一方で、このようなキャップ式のボールペンを上向き筆記に使用できるようにするには、特許文献２に開示されるガス加圧式がある。しかしこの場合、前述のようにボールペンのペン先のボール保持機構を恒常的に加圧力に耐え得るように構成し、かつ、加圧された封入ガスのインクタンクからの透過を防止するための手段（材料やコーティング等）を構成しなければならない。よって、無加圧状態で使用する通常のボールペンリフィールを使用することは出来ず、複雑で高価な構成となってしまう。
【課題を解決するための手段】
【０００７】
本考案は、軸筒にシリンダー部とピストンが設けられ、このシリンダー部とピストンによりシリンダー室が形成される。一方で、軸筒にはホールペンリフィールを保持するリフィールホルダーが固定される。リフィールホルダーには、ボールペンリフィールの後端開口部とシリンダー室を連通する連通路が形成されている。そしてピストンには、ウェイトを軸筒軸方向に移動自在にガイドするガイド部が設けられる。ガイド部上には、ウェイトの前後の移動限を規定する規制部が設けられる。
【考案の効果】
【０００８】
本考案によれば、ペン先を上に向けたときにはウェイトが軸筒後端側に移動し、後方の規制部にウェイトが当接する。規制部とピストンは固定されているので、ウェイトが規制部に衝突する衝撃でピストンは後方に移動し、シリンダー室を圧縮する。この圧縮された空気は連通路を通じてボールペンリフィールの後端開口部からインクタンク内のインクを加圧することになる。一方で、ペン先を下に向けたときには前方の規制部にウェイトが当接し、そのときの衝撃でピストンは前方に移動し、シリンダー室の加圧が解除される。
【０００９】
このように、加圧が必要な上向き筆記（すなわちペン先を上に向けた状態）のときにだけボールペンリフィール内のインクを加圧することになるので、ボールペンリフィールを恒常的に加圧力に耐え得る構成にする必要がなく、通常のボールペンリフィールを使用できる。本考案の構成により、ボールペンリフィールが軸筒に固定されたキャップ式のボールペンについて、簡便な構成で上向き筆記に対応した筆記具を提供することが出来る。
【図面の簡単な説明】
【００１０】
【図１】本考案の実施例に係るキャップ式ボールペンの本体の半断面図である。
【図２】（ａ）はウェイトが前方端に位置している場合を示す縦断面図であり、（ｂ）は、ウェイトが後方端に位置している場合を示す縦断面図である。
【図３】要部の動作状態を示す拡大縦断面図である。（ａ）はウェイトが前方端に位置している場合を示し、（ｂ）ウェイトが後方端に位置している場合を示す。
【考案を実施するための形態】
【００１１】
以下、図面を参照しつつ本考案の実施例について説明する。なお、以下の説明において、前方向は、ペン先（６ｃ）側の方向を指す。
【実施例１】
【００１２】
図１〜３に本考案を適用したボールペンの本体１を示す。
図１において、本体１は、円筒長尺状に形成される軸筒２を有している。軸筒２の後端には尾栓部材３が螺合して固定されている。一方、軸筒２の前方には、後述するリフィールホルダー４の環状リブ４ａを挟んで先口５が設けられている。リフィールホルダー４は、円筒状に形成され、ボールペンリフィール６のインクタンク６ａを保持する円筒状部４ｂが設けられている。円筒状部４ｂの前端には、円筒状に大径部４ｃが形成されている。そして、大径部４ｃから前方には、環状リブ４ａを介して円筒状に先口保持部４ｄが形成されている。大径部４ｃの外周及び先口保持部４ｄの外周には雄螺子部４ｃ１，４ｄ１が形成されている。すなわち、前述の軸筒２の前端部内周面には雌裸子部２ａが形成されており、リフィールホルダー４の雄螺子部４ｃ１と螺合して接続されている。同様に、先口５の後端開口部内面にも雌螺子部５ａが形成されており、これにより雄螺子部４ｄ１と螺合して接続されている。先口５の後端開口端面と軸筒２前端端面は環状リブ４ａと当接するまでねじ込み固定されている。また、先口５の先端開口部５ｂからは、ボールペンリフィール６のペン先６ｃが突出している。
【００１３】
リフィールホルダー４の円筒状部４ｂから後方に伸びて形成されるピストンガイド４ｅは円筒状に形成される。一方、尾栓部材３の前方には、シリンダー部３ａが形成されている。そして、シリンダー部３ａとピストンガイド４ｅ間には、ピストン７が形成されている。ピストン７はピストンガイド４ｅに沿って軸筒軸方向に移動可能にガイドされている。ピストン７には、円筒状部４ｂに沿って前方に円筒状に伸びるガイド部７ａが形成されている。このガイド部７ａの外周には、ウェイト８が形成されている。ウェイト８は、ガイド部７ａに沿って軸筒軸方向に移動自在にガイドされている。さらに、ガイド部７ａには、その前端付近と後方位置には、ウェイト８と当接してウェイト８の前後の移動限を規定する規制部７ｂ，７ｃが形成されている。
【００１４】
ここで、シリンダー部３ａとピストン７との構成について詳細に説明する。図３（ａ）（ｂ）に示すように、シリンダー部３ａについては、後方に位置する領域（加圧領域３ａ１）の直径は、加圧領域３ａ１に連設して前方に伸びる領域（開放領域３ａ２）よりも小径に形成されている。そして、ピストン７の後端部近傍外周面にはＯリング７ｄが設けられている。このＯリング７ｄとシリンダー部３ａ内周面の気密性は、Ｏリング７ｄが加圧領域３ａ１に位置するとき（図３（ｂ）参照）は、気密されており、開放領域３ａ２では気密されていない。
【００１５】
さらに、ピストン７とシリンダー部３ａとによりシリンダー室Ｓが形成されている。そして、ピストン７の後端面中央には、孔（接続路７ｅ）が開けられている。また、リフィールホルダー４のピストンガイド４ｅの外周にもＯリング４ｆが設けられている。Ｏリング４ｆとピストン７の内周面及びピストン７の後端部内面とで形成される領域は、気密性を有している。そして、リフィールホルダー４の後端部分には、中空状に形成され接続路７ｅと連通する連通路４ｇが設けられている。連通路４ｇの前方端は拡径する方向で段部が形成され、ボールペンリフィール６（インクタンク６ａ）の後端がＯリング６ｂを介して当接されている。Ｏリング６ｂにより、連通路４ｇからインクタンク６ａに掛けての空間は気密に保たれている。
【００１６】
すなわち、換言すれば、シリンダー室Ｓは、接続路７ｅ及び連通路４ｇを介してインクタンク６ａの後端開口部と連通していることになる。
なお、本実施例に係るボールペンの本体１をキャップ式ボールペンとして用いるには、本体１に公知の構成をしたキャップを先口５（又は軸筒２）に設けるようにすればよい。
【００１７】
次に、本実施例の動作を説明する。通常のペン先６ｃを下向きにして筆記する場合には、ウェイト８は前方側の規制部７ｂと当接している。よって、ピストン７は、ウェイト８の重力により前方限位置（すなわちガイド部７ａの前端が大径部４ｃと当接する位置及び／又は後方部位においてピストン７とリフィールホルダー４が当接する位置）に移動している（図２（ａ）及び図３（ａ））。ここで、ペン先６ｃを上向きにして筆記した場合、ウェイト８が後方の規制部７ｃに当接するまで移動する。そして、ウェイト８と規制部７ｃが当接したときの衝撃とウェイト８の重力により、ピストン７は後方へ移動する。このとき、ピストン７の後端面と、このピストン７の後端面と向かい合うシリンダー部３ａの面とが当接し、シリンダー室Ｓが圧縮される。ピストン７は加圧領域３ａ１に位置しているので、接続路７ｅ，連通路４ｇ内は気密が保たれている。ゆえに、シリンダー室Ｓが圧縮された分、接続路７ｅ，連通路４ｇ等の室内は加圧され、その結果、これらと連通するインクタンク６ａの後端開口部は加圧される。よって、インクタンク６ａ内のインクは前方に加圧され、上向き筆記を行うことが出来るようになる。
【００１８】
再度ペン先６ｃを下向きにすれば、ウェイト８は前方に移動する。そして、ウェイト８と前方側の規制部７ｂが当接する。ウェイト８と規制部７ｂが当接したときの衝撃と、ウェイト８の重力により、ピストン７は前方に移動する。このとき、ピストン７後端部近傍（Ｏリング７ｄ）は開放領域３ａ２に位置するので、再度形成されたシリンダー室Ｓが負圧になることは無く、ピストン７後端部近傍（Ｏリング７ｄ）の外周から外気が流入する。
【００１９】
以上、本考案の実施例を詳細に説明したが、本考案はこれに限定されることなく、本考案の要旨を変更しない範囲で適宜変更することができる。
【符号の説明】
【００２０】
２  軸筒
３  尾栓部材
３ａ  シリンダー部
４  リフィールホルダー
４ｂ  円筒状部
４ｇ  連通路
６  ボールペンリフィール
６ｃ  ペン先
７  ピストン
７ａ  ガイド部
７ｂ  規制部
７ｃ  規制部
７ｅ  接続路
８  ウェイト
Ｓ  シリンダー室
【図１】
0003168101.tif 000003
【図２】
0003168101.tif 000004
【図３】
0003168101.tif 000005